(57)【要約】【課題】            強引な犯罪行為等により開閉体が不正に開放されてしまうのを阻むことができる開閉装置を提供する。【解決手段】        閉鎖動作する開閉体１０を備えた開閉装置において、前記開閉体１０に対し開放力が作用したことを認識する開放力認識手段と、該開放力認識手段による認識に応じて前記開閉体１０を強制的に閉鎖動作させる強制閉動手段とを備え、開閉体１０が強引に開放方向へ動かされた際に、該開閉体１０を強制的に閉鎖動作させるようにした。【選択図】          図１
2006028822.tif 000002
【特許請求の範囲】
【請求項１】
閉鎖動作する開閉体を備えた開閉装置において、
前記開閉体に対し開放力が作用したことを認識する開放力認識手段と、該開放力認識手段による認識に応じて前記開閉体を強制的に閉鎖動作させる強制閉動手段とを備えたことを特徴とする開閉装置。
【請求項２】
上記開放力認識手段は、上記開閉体に対し開放力が作用したことを、上記開閉体が開放方向へ所定量移動したことに基づき認識することを特徴とする請求項１記載の開閉装置。
【請求項３】
上記開放力認識手段は、略全閉位置にある上記開閉体を接触又は非接触感知する感知部を備え、この感知部による感知が無かった場合に、上記開閉体が開放方向へ所定量移動したと認識することを特徴とする請求項２記載の開閉装置。
【請求項４】
上記開放力認識手段は、上記開閉体の開放方向への移動量に応じて計数されるカウント手段を備え、該カウント手段による計数値が所定値を超えた場合に、上記開閉体が開放方向へ所定量移動したと認識することを特徴とする請求項２又は３記載の開閉装置。
【請求項５】
上記強制閉動手段は、上記開閉体を、少なくとも上記計数値の分、閉鎖動作させて、停止することを特徴とする請求項４記載の開閉装置。
【請求項６】
上記開放力認識手段は、上記開閉体に対し開放力が作用したことを、開放方向へ移動した際の上記開閉体の速度に基づき認識することを特徴とする請求項１記載の開閉装置。
【請求項７】
上記開放力認識手段は、上記開閉体に対し開放力が作用したことを、開放方向へ移動した際の上記開閉体の駆動源のトルク変動に基づき認識することを特徴とする請求項１記載の開閉装置。
【請求項８】
上記開放力認識手段は、上記開閉体に対し開放力が作用した時間が所定時間以上となったか否かを判断することを特徴とする請求項１、請求項６、請求項７の内何れか１項記載の開閉装置。
【請求項９】
上記開閉体を開放信号により開放動作させるように制御するとともに、
上記開放力認識手段による認識があった場合でも、前記開放信号が有る場合には、この開放信号による動作を上記強制閉動手段による動作よりも優先させるようにしたことを特徴とする請求項１乃至８何れか１項記載の開閉装置。
【請求項１０】
上記開閉体に対し、その厚さ方向における内方側の行為により開放力が作用した場合に、上記強制閉動手段による動作をさせない解除手段を備えたことを特徴とする請求項１乃至９何れか１項記載の開閉装置。
【発明の詳細な説明】
【技術分野】
【０００１】
本発明は、オーバーヘッドドアを含むシャッター装置、ドア、雨戸を含む引戸、窓、ロールスクリーン、ブラインド、オーニング装置、門扉、ゲート、スライディングウォール装置等、開閉体により空間を仕切るようにした開閉装置に関し、特にシャッター装置として適用するのに好ましい開閉装置に関するものである。
【背景技術】
【０００２】
従来、この種の発明には、特許文献１に記載されているように、閉鎖動作する開閉体（閉鎖体１１）や、該開閉体をその幅方向の端部側で開閉方向へ案内するガイドレール（３）、該ガイドレール内に具備されて閉鎖状態の前記開閉体を係止するロック装置（２５）等を備えたものがある。
この従来技術は、閉鎖状態の開閉体（閉鎖体１１）の幅方向から突出する施錠用係合部（１５）に対し、その上方側からストッパ体（５０）が当接することで、開閉体（閉鎖体１１）が開放不能な状態となるように構成されている。
【０００３】
しかしながら、前記従来技術によれば、開閉体(閉鎖体１１)が閉鎖されてロック装置（２５）によって係止された状態であっても、先細状の治具等を隙間からガイドレール内へ差し入れて抉ったり、開閉体（閉鎖体１１）の閉鎖方向端部を強引に手前へ引いてガイドレール（３）の外へ出したり等することで、施錠用係合部（１５）をストッパ体（５０）の突端よりも手前側へずらし、その状態で開閉体（閉鎖体１１）が持ち上げられると、該開閉体が不正に開放させられてしまうおそれがある。
【特許文献１】特開２００１−３４９１６１号公報
【発明の開示】
【発明が解決しようとする課題】
【０００４】
本発明は上記従来事情に鑑みてなされたものであり、その課題とする処は、強引な犯罪行為等により開閉体が不正に開放されてしまうのを阻むことができる開閉装置を提供することにある。
【課題を解決するための手段】
【０００５】
上記課題を解決するために第一の発明は、閉鎖動作する開閉体を備えた開閉装置において、前記開閉体に対し開放力が作用したことを認識する開放力認識手段と、該開放力認識手段による認識に応じて前記開閉体を強制的に閉鎖動作させる強制閉動手段とを備えたことを特徴とする。
【０００６】
ここで、本発明に係わる開閉装置は、少なくとも閉鎖方向へ動作可能な開閉体を備え、該開閉体により空間を仕切るように構成された装置であればよく、この開閉装置には、開閉体が閉鎖動作のみを行うように用いられる態様、開閉体が開放動作と閉鎖動作との双方を行うように用いられる態様等を含む。
【０００７】
また、上記開閉体の具体例としては、複数のスラットやパイプを開閉方向へ連設してなる態様や、単数もしくは複数のパネルや、シート状物、ネット状物を開閉方向へ設けてなる態様、あるいはスラット、パネル、パイプ、シート状物、ネット状物等を適宜に組み合わせてなる態様等が挙げられる。しかしながら、特に防犯性を向上する観点からは、前記シート状物やネット状物を用いない態様、すなわち、複数のスラットやパイプを開閉方向へ連設してなる態様や、パネルを開閉方向へ単数もしくは複数設けてなる態様、あるいはスラット、パネル、パイプ等を適宜に組み合わせてなる態様等とするのが好ましい。
なお、この開閉体の動作方向は、上下方向や、水平方向、斜め方向等とすることができる。
【０００８】
また、上記開閉体を閉鎖動作させる手段の具体例としては、巻取り軸に巻かれた開閉体を繰り出すようにした態様や、巻取ることなく収納された開閉体を繰り出すようにした態様等が挙げられる。
【０００９】
また、上記開放力認識手段には、所定量移動した際の開閉体を接触式センサー（例えばリミットスイッチ等）や非接触式センサー（近接スイッチや、光電スイッチ等）により感知するようにした態様や、開閉体の開放方向への移動量を計数するとともに、その計数値が所定値を超えたことを認識するようにした態様等が挙げられる。
更に、上記開放力認識手段の他例としては、開放方向へ移動した際の上記開閉体の速度を感知し、その速度が所定範囲内となったことを認識するようにした態様や、開放方向へ移動した際の上記開閉体の駆動源のトルク変動を感知し、そのトルク変動が所定値以上となったことを認識するようにした態様、開放方向へ移動した際の上記開閉体の移動時間を計測し、その移動時間が所定時間以上となったことを認識するようにした態様等が挙げられる。
【００１０】
また、上記強制閉動手段とは、上記開放力認識手段による認識に応じて、上記開閉体を強制的に閉鎖動作させる構成であればよく、具体例としては、上記開閉体を閉鎖動作させるための駆動源を、上記開放力認識手段による認識に応じて、強制的に駆動させる構成とすることができる。
【００１１】
また、第二の発明では、上記開放力認識手段は、上記開閉体に対し開放力が作用したことを、上記開閉体が開放方向へ所定量移動したことに基づき認識することを特徴とする。
【００１２】
ここで、「上記開閉体が開放方向へ所定量移動した」とは、上記開閉体が略全閉位置から開放方向へ所定量移動した場合とするのが好ましいが、上記開閉体が閉鎖途中位置から開放方向へ所定量移動した場合としてもよい。
【００１３】
また、第三の発明では、上記開放力認識手段は、略全閉位置にある上記開閉体を接触又は非接触感知する感知部を備え、この感知部による感知が無かった場合に、上記開閉体が開放方向へ所定量移動したと認識することを特徴とする。
【００１４】
また、第四の発明では、上記開放力認識手段は、上記開閉体の開放方向への移動量に応じて計数されるカウント手段を備え、該カウント手段による計数値が所定値を超えた場合に、上記開閉体が開放方向へ所定量移動したと認識することを特徴とする。
【００１５】
ここで、上記カウント手段には、開閉体の開放動作と連動する回転体の回転量をエンコーダにより計数するようにした構成や、開閉体と連動する回転体の回転量を機械式カウンターにより計数するようにした構成、開閉体が開放方向へ移動する時間を計数するようにした構成等を含む。
このカウント手段には、上記開閉体の開放方向への移動量に応じて加算される態様や、上記開閉体の開放方向への移動量に応じて減算される態様を含む。
したがって、「カウント手段による計数値が所定値を超えた場合」とは、上記カウント手段による計数値が加算により所定値以上となる態様や、上記カウント手段による計数値が減算により所定値以下となる態様を含んでいる。
【００１６】
また、第五の発明では、上記強制閉動手段は、上記開閉体を、少なくとも上記計数値の分、閉鎖動作させて、停止することを特徴とする。
【００１７】
ここで、「少なくとも上記計数値の分」とは、上記開閉体を上記計数値の分だけ閉鎖動作させる態様としてもよいし、上記開閉体を上記係数値以上に閉鎖動作させる態様としてもよいことを意味する。
後者の態様によれば、開閉体の閉鎖方向端部と当接対象部位（例えば床面や地面や枠部材等）との間に隙間を形成した状態で、開閉体の動作が停止している場合に、上記開放力認識手段による認識に応じて、開閉体を略完全に閉鎖して防犯性を向上することができる。
更に、後者の態様は、開閉体の閉鎖方向端部を当接対象部位に接触させた時点で、該開閉体に通気用等の窓部（またはスリット部）が形成され、この窓部（またはスリット部）が該開閉体を更に閉鎖方向へ動作させることで閉じられるようにした開閉装置においても、上記開放力認識手段による認識に応じて、前記窓部（またはスリット部）を略完全に閉鎖して防犯性を向上することができる。
【００１８】
また、第六の発明では、上記開放力認識手段は、上記開閉体に対し開放力が作用したことを、開放方向へ移動した際の上記開閉体の速度に基づき認識することを特徴とする。
【００１９】
また、第七の発明では、上記開放力認識手段は、上記開閉体に対し開放力が作用したことを、開放方向へ移動した際の上記開閉体の駆動源のトルク変動に基づき認識することを特徴とする。
【００２０】
また、第八の発明では、上記開放力認識手段は、上記開閉体に対し開放力が作用した時間が所定時間以上となったか否かを判断することを特徴とする。
【００２１】
また、第九の発明では、上記開閉体を開放信号により開放動作させるように制御するとともに、上記開放力認識手段による認識があった場合でも、前記開放信号が有る場合には、この開放信号による動作を上記強制閉動手段による動作よりも優先させるようにしたことを特徴とする。
【００２２】
ここで、上記開放信号とは、上記開閉体を開放動作させるための信号であり、例えば、リモコン装置等の開放スイッチが操作されることで上記開閉体を開放動作させるために発信される信号や、非常時に上記開閉体を開放動作させるために自動的に発信される信号、タイマー等により所定時間となった際に上記開閉体を開放動作させるために自動的に発信される信号等を含む。
【００２３】
また、第十の発明では、上記開閉体に対し、その厚さ方向における内方側の行為により開放力が作用した場合に、上記強制閉動手段による動作をさせない解除手段を備えたことを特徴とする。
【００２４】
ここで、上記解除手段とは、上記開放力が開閉体厚さ方向における内方側からの行為による場合に、上記強制閉動手段による動作をさせないようにする構成であればよい。
上記開放力が開閉体厚さ方向における内方側からの行為であることを判断する手段には、例えば、上記開閉体よりも開閉体厚さ方向の内方側に、上記開放阻止手段を解除するために手動操作される解除操作スイッチを設けた態様や、上記開閉体よりも開閉体厚さ方向の内方側に、内方側から外力を加える操作者等を感知する接触式センサーまたは非接触式センサー等の感知手段を設けた態様等とすることができる。
【発明の効果】
【００２５】
本発明は、以上説明したように構成されているので、以下に記載されるような作用効果を奏する。
第一の発明によれば、例えば開閉体を強引に開放しようとする犯罪行為等により、開閉体に対し開放力が作用したとしても、そのことが開放力認識手段により認識され、その認識に応じて開閉体が強制的に閉鎖動作する。
したがって、複雑な施錠構造等を用いない簡素な構造でもって、強引な犯罪行為等により開閉体が不正に開放されてしまうのを阻むことができ、例えば、閉鎖状態の開閉体を強引に手前へ引く等して、該開閉体の係止状態を解除し、該開閉体を開放しようとするような犯罪行為を阻むことができる。
【００２６】
更に、第二の発明によれば、開閉体に対し開放力が作用したことを認識する構造を、開閉体の開放方向への移動を認識するようにした簡素な構成とすることができる。
【００２７】
更に、第三の発明によれば、開閉体が開放方向へ所定量移動したことを認識する開放力認識手段を、生産性等の良好な簡素な構造でもって提供することができる。
【００２８】
更に、第四の発明によれば、開閉体が開放方向へ所定量移動したことを認識する開放力認識手段を、生産性等の良好な簡素な構造でもって提供することができる。
特に、特に第二の発明における開放力認識手段も併せ持つようにすれば、開閉体に対する強引な開放行為を、作動原理の異なる二種類の開放力認識手段によって認識できるため、その認識精度を向上できる上、一方の開放力認識手段が破壊されたり故障したり等した場合であっても他方の開放力認識手段を用いての認識が可能となる。
【００２９】
更に、第五の発明によれば、開閉体は、強引な外力等により開放方向へ所定量移動されると、その移動量分の閉鎖動作をして、停止する。
したがって、強制的に閉鎖動作した開閉体を所定位置（例えば全閉位置）で停止するために、リミットスイッチや近接スイッチ等の感知スイッチを用いなくて済み、その構成を、部品点数が少なく生産性のよい簡素な構造とすることができる。
【００３０】
更に、第六の発明によれば、開閉体に対し開放力が作用したことを認識する構造を、生産性の良好な具体的態様とすることができる。その上、開放方向へ移動する開閉体の速度に応じて、開閉体が通常の開放操作により開放されたのか、あるいは、開閉体が強引な外力等により開放されたかを判断することも可能である。
【００３１】
更に、第七の発明によれば、開閉体に対し開放力が作用したことを認識する構造を、生産性の良好な具体的態様とすることができる。
【００３２】
更に、第八の発明によれば、開閉体に対し作用した開放力が例えば風圧等による短時間のものである場合に、その開放力を認識しないようにすることができ、ひいては、現場状況等に応じた認識信頼性を向上することができる。
【００３３】
更に、第九の発明によれば、開放力認識手段による認識があった場合でも、正規の操作者のリモコン操作による開放信号や、災害時に自動的に発せられる開放信号等が有る場合には、その開放信号による開閉体の開放動作を、強制閉動手段による閉鎖動作よりも優先させることができ、ひいては、非常時の脱出性等を向上することができる。
【００３４】
更に、第十の発明によれば、例えば、非常脱出等のために、開閉体をその厚さ方向における内方側から手動で開放しようとした場合には、上記強制閉動手段による動作が行われないため、開閉体を速やかに手動開放することができる。
【発明を実施するための最良の形態】
【００３５】
以下、本発明の実施の形態を図面に基づいて説明する。
本実施の形態による一例は、住宅やビル、倉庫、工場、地下街、トンネル、車両の荷台等の躯体の開口部分や内部に配設され、前記開口部分を開閉したり、躯体内部の空間を仕切ったり開放したりする開閉装置として適用可能であるが、特に好ましい態様として、防犯構造を施した窓用シャッター装置として説明する。
【００３６】
この開閉装置Ａは、閉鎖方向端部をスライドさせて開閉動作する開閉体１０と、該開閉体１０の幅方向（図１における手前及び奥行き方向）の端部を囲み該開閉体１０を開閉方向へ案内するガイドレール２０と、前記開閉体１０を巻き取ったり繰り出したりする巻取装置３０とを備え、開閉体１０の内方側の操作スイッチ４０から、巻取装置３０内の制御部５０へ、操作指令を送信するようにしている（図１参照）。
【００３７】
開閉体１０は、横長略矩形状の金属板を曲げ加工してなる所謂スラットを、上下に隣接する該スラット間で回動するように複数連接するとともに、これらスラットにおける閉鎖方向側（図示例によれば下方側）の端部に、下枠６０に当接させるための座板部材１１を開閉体幅方向にわたって接続している。
座板部材１１における内方側（躯体ｑ側）の部位には、開閉体１０に対する手動での開放操作を容易にするために、手掛け部１１ａが突設されている。
尚、当業者間においては、この座板部材１１を、座板、幅木、水切り等と呼称する場合もある。
【００３８】
また、ガイドレール２０は、アルミ合金材料の引抜き成形または押し出し成形、鋼板や他の金属板の曲げ加工等の加工によって、開閉体１０の幅方向の端部を囲む部位が横断面略コの字状に形成された部材であり、巻取装置３０と下枠６０との間にわたって配設されている。
【００３９】
そして、このガイドレール２０内の開閉体閉鎖方向側の端部には、略全閉位置となった際の開閉体１０の座板部材１１を感知するように、全閉位置感知部２１が固定されている。
また、同ガイドレール２０内の開閉体開放方向側の端部には、略全開位置となった際の開閉体１０の座板部材１１を感知するように、全開位置感知部２２が固定されている。
【００４０】
これら全閉位置感知部２１と全開位置感知部２２の各々は、本実施の形態の好ましい一例にれば、開閉体１０の閉鎖方向端部（より具体的には座板部材１１）を接触感知するように、リミットスイッチが用いられているが、非接触式の近接スイッチや光電センサー等とすることも可能である。
また、全閉位置感知部２１と全開位置感知部２２の各々は、収納ケース３１内で電動駆動源３３の出力軸または巻取り軸３２に係合するように配設けられ、前記出力軸または巻取り軸３２が所定量回転したことを検知する接触式または非接触式のスイッチ（例えば機械式カウンターやエンコーダ等を用いたスイッチ）とすることも可能である。
【００４１】
また、前記下枠６０は、開閉体幅方向の両側にそれぞれガイドレール２０を立設し当該開閉装置Ａの下端部を覆っている部材であり、建物等の躯体ｑ壁面に固定される。
【００４２】
また、巻取装置３０は、下部側に開閉体１０を出没させるための開口部を形成した収納ケース３１内に、開閉体１０を巻き取ったり繰り出したりする巻取り軸３２や、該巻取り軸３２をチェーン等の動力伝達手段を介して電動で双方向へ回転する電動駆動源３３、巻取り軸３２に内在され付勢力によって開閉体１０が自重で閉鎖されてしまうのを阻むスプリング（図示せず）、開閉体１０の移動量に応じたパルス信号を出力するエンコーダ装置３４、電動駆動源３３を制御する制御部５０等を具備している。
【００４３】
前記電動駆動源３３は、正転及び逆転が可能なモータであり、無通電では双方向へ回転フリーな状態となる。
なお、図示例によれば、電動駆動源３３には、簡素な電気回路により良好な反転制御性を得ることができるように、直流モータを用いているが、この直流モータを交流モータに置換し、逆転回路を備えた構成とすることも可能である。
また、上記巻取装置３０は、巻取り軸３２を電動で双方向へ回転するように構成しているが、巻取り軸３２を少なくとも繰り出し方向へ電動で回転するものであればよく、例えば、巻取り軸３２を電動で繰り出し方向へ回転させ、同巻取り軸３２を手動、もしくはスプリングや錘等の付勢力により巻取り方向へ回転させる態様としてもよい。
【００４４】
また、エンコーダ装置３４は、例えば光学式エンコーダや磁気式エンコーダ等の一般的なエンコーダ装置であり、電動駆動源３３の出力軸または巻取り軸３２の回転量に応じたパルス信号を、制御部５０へ発信するように配設されて、後述するカウント手段を構成している。
【００４５】
そして、上記構成の巻取装置３０は、制御部５０によって電動駆動源３３が制御されることで、開閉体１０を開閉動作させる。
【００４６】
制御部５０は、入力端子Ｉ１〜Ｉ６及びＣＯＭ端子に入力された信号を、記憶部に記憶されたプログラムに基づいてＣＰＵにより演算処理し、その演算処理結果に応じた信号を出力端子Ｏｕ及びＯｄから出力するプログラムドロジック回路であり、例えばマイコンやプログラマブルコントローラー等が用いられる。
【００４７】
そして、この制御部５０には、図３に示すように、操作スイッチ４０や、全閉位置感知部２１及び全開位置感知部２２、エンコーダ装置３４、駆動回路７０等が電気配線されている。
以下に、制御部５０に電気配線される各機器について詳細に説明する。
【００４８】
操作スイッチ４０は、開閉体１０の内方側（例えば屋内側）に配設され、開閉体１０を開放動作させるための開放スイッチＳＷ１、開閉体１０の開閉動作を停止するための停止スイッチＳＷ２、開閉体１０を閉鎖動作させるための閉鎖スイッチＳＷ４、開閉体１０に対する操作を電動または手動に切り替える切替スイッチＳＷ３等を備えている（図２参照）。
【００４９】
開放スイッチ４１、停止スイッチ４２、及び閉鎖スイッチ４３の各々は、自動復帰ａ接点を備える押しボタンスイッチである。
また、切替スイッチＳＷ３は、「電動」にした際に接点を開にし、「手動」にした際には同接点を閉にする手動復帰接点を備え、この切替スイッチＳＷ３は、後述する解除手段を構成している。
【００５０】
そして、上記構成の操作スイッチ４０は、その開放スイッチＳＷ１の接点信号を制御部５０の入力端子Ｉ１に入力し、停止スイッチＳＷ２の接点信号と切替スイッチＳＷ３の接点信号を同一の入力端子Ｉ２に入力し、閉鎖スイッチＳＷ４の接点信号を入力端子Ｉ３に入力するように配線されている。
【００５１】
また、全閉位置感知部２１は、制御部５０の入力端子Ｉ４に対し接点信号を入力するように配線され、同様にして、全開位置感知部２２は、制御部５０の入力端子Ｉ５に対し接点信号を入力するように配線されている。
【００５２】
また、エンコーダ装置３４は、電動駆動源３３または巻取り軸３２の回転量に応じて発信されるパルス信号を入力端子Ｉ６へ入力するように配線されている。
【００５３】
また、駆動回路７０は、電動駆動源３３を正逆方向へ駆動するためのリレー回路であり、開放リレー７１，閉鎖リレー７２等を備えている。
【００５４】
開放リレー７１は、制御部５０の出力端子Ｏｕからの出力により励磁されるように、そのコイル部Ｒｕを、制御部５０の出力端子Ｏｕとそのアース端子（基準電位のアース）との間に配線している。
そして、この開放リレー７１のａ接点Ｒｕａは、直流電源の一方の端子（図示例によれば＋端子）と電動駆動源３３の一方の入力端子との間に配線されている。
更に、同開放リレー７１のｂ接点Ｒｕｂは、直流電源の他方の端子（図示例によればアース端子）と電動駆動源３３の前記一方の入力端子との間に配線されている。
【００５５】
また、閉鎖リレー７２は、制御部５０の出力端子Ｏｄからの出力により励磁されるように、そのコイル部Ｒｄを、制御部５０の出力端子Ｏｄとそのアース端子（基準電位のアース）との間に配線している。
そして、この閉鎖リレー７２のａ接点Ｒｄａは、直流電源の一方の端子（図示例によれば＋端子）と電動駆動源３３の他方の入力端子との間に配線されている。
更に、同閉鎖リレー７２のｂ接点Ｒｄｂは、直流電源の他方の端子（図示例によればアース端子）と電動駆動源３３の前記他方の入力端子との間に配線されている。
【００５６】
そして、上記構成の制御部５０は、記憶部に記憶されたプログラムにより動作することで、以下に詳述するカウント手段や、開放力認識手段、強制閉動手段、解除手段等として機能する。
【００５７】
前記カウント手段は、エンコーダ装置３４や制御部５０内のプログラム及び記憶部等により構成され、開閉体１０の開放方向への移動量（より具体的には電動駆動源３３又は巻取り軸３２の回転量）に応じてエンコーダ装置３４から発信されるパルス信号を計数する。
より詳細に説明すれば、カウント手段は、開閉体１０が全閉位置にある際のパルス数を基準値（例えば０パルス）として制御部５０の記憶部に記憶し、該基準値に対し、開閉体１０の開放方向への移動中には、エンコーダ装置３４から入力されるパルス信号を加算し、開閉体１０の閉鎖方向への移動中には、エンコーダ装置３４から入力されるパルス信号を減算する。したがって、開閉体１０の閉鎖方向端部と下枠６０との間の距離が、パルス数として認識されることになる。
【００５８】
また、前記開放力認識手段は、全閉位置感知部２１及び前記カウント手段からの入力信号に基づき、開閉体１０が開放方向へ所定量移動したことを認識する。
また、前記強制閉動手段は、前記開放力認識手段による認識に応じて開閉体１０を強制的に閉鎖動作させるように、出力端子Ｏｄから閉鎖信号を出力して、開放リレー７１を励磁する。
また、前記解除手段は、開閉体１０に対する外力が開閉体厚さ方向における内方側からの行為によると判断された場合に、前記強制閉動手段を動作させないようにする。
【００５９】
次に、制御部５０による動作の一例を、図４に示すフローチャートに基づいて、より具体的に説明する。
【００６０】
以下の説明の前提条件として、開閉体１０は全閉状態にあり、且つ出力端子Ｏｕ，Ｏｄへの出力は当初無いものとする。
先ず、開閉体１０の通常の全閉状態においては全閉位置感知部２１がＯＮ（閉）となっているが、開閉体１０に対し開放方向への外力が加わり、開閉体１０が若干開放方向へ移動した場合には、全閉位置感知部２１の接点はＯＦＦ（開）となる。
制御部５０は、図４のフローチャートに示すように、開閉体１０が全閉された後に、全閉位置感知部２１の接点がＯＦＦとなったか否かを判断し（ステップ１）、ＯＦＦとなった場合には、次のステップ２を実行し、そうでない場合には、全閉位置感知部２１の入力信号がＯＮからＯＦＦに変化するのを待った状態となる。
【００６１】
ステップ２では、開放信号により開閉体１０が開放動作中か否かが判断され、開放動作中の場合には、ステップ１に処理が戻され、そうでない場合には、次のステップ３へ処理が移行する。
すなわち、このステップ２では、全閉位置感知部２１の接点がＯＦＦの場合でも、前記開放信号が有る場合には、この開放信号による開閉体１０の開放動作を強制閉動手段による開閉体１０の閉鎖動作よりも優先させ、開閉体１０が再度全閉状態となるまで、図４のフローチャートに示す処理を行わないようにする。
なお、前記開放信号は、図示例によれば、操作スイッチ４０の開放スイッチＳＷ１のがＯＮ操作された場合に、開閉体１０が開放動作させるために制御部５０の出力端子Ｏｕから出力される信号である。
【００６２】
そして、ステップ３では、開閉体１０の開放動作中にエンコーダ装置３４から入力され計数（加算）されたパルス数が所定値以上となったか否かが判断され、所定値以上となった場合には、次のステップ４へ処理を移行し、そうでない場合には、上記ステップ１へ処理を戻す。
【００６３】
ステップ４では、開閉体１０に加わる外力が開閉体１０の厚さ方向の外方側（例えば屋外側）からのものか否かを判断し、外方側からのものであった場合にはステップ５へ処理を移行し、内方側（例えば屋内側）からのものであった場合にはステップ１へ処理を戻す。
【００６４】
より具体的に説明すれば、開閉体１０の内方側に配置された切替スイッチＳＷ３が「自動」にされている場合、切替スイッチＳＷ３の接点がＯＦＦ（開）に維持され、停止スイッチＳＷ２が押されない限り、制御部５０の入力端子Ｉ２への接点信号の入力は無い。この場合、開閉体１０に対する外力は外方側からのものと判断され、次のステップ５へ処理が移行される。
【００６５】
また、切替スイッチＳＷ３が「手動」にされている場合には、切替スイッチＳＷ３の接点がＯＮ（閉）に維持され、停止スイッチＳＷ２が押されたか否かに拘わらず、制御部５０の入力端子Ｉ２へ接点信号が継続的に入力される。この場合、開閉体１０に対する外力は内方側からのものと判断され、ステップ１へ処理が戻される。
したがって、前記ステップ４において、開放方向の外力が開閉体１０の内方側からのものであると判断された場合、すなわち切替スイッチＳＷ３が「手動」にされていた場合には、電動駆動源３３が双方向へ回転フリーな無通電状態に維持されるため、例えば開閉体１０を開放して外部へ脱出しようとする者は、開閉体１０の内方側の手掛け部１１ａに手を掛けて、開閉体１０を手動で容易に開放することができる。
【００６６】
次にステップ５では、開閉体１０の閉鎖動作を開始し、処理を次のステップ６へ移行する。
すなわち、このステップ５では、制御部５０の出力端子Ｏｄから電力が出力され、閉鎖リレー７２のコイル部Ｒｄが励磁状態となる。すると、駆動回路７０における閉鎖リレー７２のａ接点Ｒｄａが閉となるとともに、同閉鎖リレー７２のｂの接点Ｒｄｂが開となり、電動駆動源３３に直流電源を通電する。したがって、電動駆動源３３が開閉体１０を閉鎖する方向へ回転し、開閉体１０は、上記外力に対抗するようにして、閉鎖動作することになる。
【００６７】
ステップ６では、開閉体１０の閉鎖動作中にエンコーダ装置３４から入力され計数（減算）されたパルス数が、基準値（例えば０パルス）以下となったか否かが判断され、基準値以下となった場合にはステップ８へ処理を移行し、そうでない場合には、ステップ７へ処理を移行する。
すなわち、このステップ６では、外力により開放方向へ移動された開閉体１０が、その開放方向への移動量以上、閉鎖方向へ動作したか否かが判断され、その判断に応じた処理が行われる。
【００６８】
次に、ステップ７では、開閉体１０の閉鎖方向への移動により全閉位置感知部２１がＯＮとなったか否かが判断され、ＯＮの場合には、次のステップ８へ処理が移行されて、開閉体１０の閉鎖動作を停止し、そうでない場合には全閉位置感知部２１のＯＮ待ち状態を継続する。
【００６９】
すなわち、上記ステップ６及びステップ７は、開閉体１０が全閉位置となったか否かを判断するためのステップであり、パルス数が基準値以下となった場合、または全閉位置感知部２１がＯＮとなった場合に、開閉体１０が全閉位置となったと判断する。
したがって、仮にエンコーダ装置３４と全閉位置感知部２１との何れか一方の構成が作動不能となった場合（例えば、全閉位置感知部２１が犯罪行為等により破損された場合等）であっても、他方の構成によって開閉体１０が全閉位置になったことを判断することができる。
【００７０】
そして、開閉体１０が全閉位置となった場合には、開閉体１０の閉鎖動作を停止する（ステップ８）。
より具体的に説明すれば、開閉体１０が全閉位置となった場合、制御部５０は，出力端子Ｏｄからの出力を停止し、閉鎖リレー７２を非励磁状態にする。そのため、電動駆動源３３は、開閉体１０の閉鎖方向への回転を停止し、双方向へ回転フリーな無通電状態となる。
【００７１】
なお、上記フローチャートによれば、全閉位置感知部２１がＯＦＦであという条件（ステップ１）と、上記カウント手段により計数されたパルス数が所定値以上であるという条件（ステップ３）との双方の条件を満たした場合に、開閉体１０が開放方向へ移動したと認識して、その開閉体１０を閉鎖動作させる態様としているが、何れか一方の条件を満たした場合に開閉体１０が開放方向へ移動したと認識する態様とすることも可能である。
また、前記ステップ３における所定値には、パルス数を一つとした場合や、パルス数を一つ以上とした場合等を含む。
【００７２】
また、上記ステップ３においては、開閉体１０の開放動作中にエンコーダ装置３４から入力され計数（加算）されたパルス数が所定値以上となったか否かを判断するようにしたが、代替手段として、所定時間内におけるエンコーダ装置３４のパルス数を測定し、該パルス数が所定値（一つである場合を含む）以上となったか否かを判断するようにしてもよい。
また、上記ステップ３における他の代替手段としては、所定時間中のパルス数を測定する処理を継続的に繰り返し、この繰り返される処理の内の何れかにおいて、測定されたパルス数が所定値（一つである場合を含む）以上となったか否かを判断するようにしてもよい。
なお、前記二者の代替手段の場合、上記ステップ６を省くとともに、全閉位置感知部２１の接点がＯＮになることのみに応じて開閉体１０の閉鎖動作を停止させればよい。
【００７３】
また、全開位置感知部２２は、開閉体１０の全開状態を認識して、開閉体１０の開放動作を停止するために備えられたものだが、この全開位置感知部２２は省いて、上記カウント手段により計数されるパルス数により開閉体１０の全開状態が認識されるようにしてもよい。
【００７４】
また、上記実施の形態において、開閉体１０の全閉位置を認識する際、エンコーダ装置３４のパルス数による全閉位置の認識と、全閉位置感知部２１の出力信号による全閉位置の認識とが一致しない場合に、故障（エンコーダ装置３４及び／又は全閉位置感知部２１の故障）と判断する手段を設けるようにしてもよい。この手段は、前記故障と判断した場合に、例えば、警報を発するようにしたり、あるいはエンコーダ装置３４によるパルス数カウントの基準を校正する処理を行ったり等すればよい。
また、同様にして、開閉体１０の全開位置を認識する際、エンコーダ装置３４のパルス数による全開位置の認識と、全開位置感知部２２の出力信号による全開位置の認識とが一致しない場合に、故障と判断する手段を設けることも可能である。
【００７５】
また、上記開閉装置Ａによれば、上記開放力認識手段は、開閉体１０に対し開放力が作用したことを、開閉体１０が開放方向へ所定量移動したことに基づき認識する構成としてが、この開放力認識手段は、開閉体１０に対し開放力が作用したことを、開閉体１０の電動駆動源３３のトルク変動に基づき認識する構成とすることも可能である。
この構成について、より具体的に説明すれば、電動駆動源３３の出力軸に負荷トルク検出手段を備え、開閉体１０の全閉状態において、前記負荷トルク検出による負荷トルクの検出信号があった場合に、開閉体１０を強制的に閉鎖動作せるようにすればよい。なお、前記負荷トルク検出手段は、上記電動駆動源３３の負荷電流や、負荷電圧、負荷電力等を負荷トルクとして検出するようにしてもよいし、電動駆動源３３の出力軸に連動するように設けられたトルク計であってもよい。
【００７６】
また、上記開閉装置Ａによれば、上記開放力認識手段は、開閉体１０に対し開放力が作用したことを、開閉体１０の開放方向への移動量が所定値を超えたか否かにより判断する構成としたが、この開放力認識手段は、開閉体１０に対し開放力が作用したことを、開閉体１０に対し開放力が作用した時間が所定時間以上となったか否かによって判断する構成としてもよい。
より具体的に説明すれば、例えば、全閉状態の開閉体１０が外力により開放方向へ移動した場合の時間を測定し、その時間が所定時間以上となった場合に、開閉体１０を強制的に閉鎖動作させるようにすればよい。
また、他の具体例としては、全閉状態の開閉体１０が外力を受けたことを電動駆動源３３の負荷トルクから認識し、その負荷トルクの発生時間が所定時間以上となった場合に、開閉体１０を強制的に閉鎖動作させるようにすればよい。
【００７７】
更に、上記開放力認識手段の他例としては、開閉体１０に対し開放力が作用したことを、全閉状態から開放方向へ移動した際の開閉体１０の速度に基づき認識する構成としてもよい。
より具体的に説明すれば、例えば、電動駆動源３３の出力軸の回転速度を測定する速度計を備え、該速度計による検出値が所定値以上となった場合に、開閉体１０を強制的に閉鎖動作させるようにすればよい。
この構成によれば、開放方向へ移動する開閉体１０の速度に応じて、開閉体１０が通常の開放操作により開放されたのか、あるいは、開閉体１０が強引な外力等により開放されたかを判断することも可能である。すなわち、開閉体１０の開放速度は、通常、電動駆動源３３の回転速度により所定範囲内の速度となるが、開閉体１０が強引な外力等により開放された場合には、開閉体１０の移動速度が前記所定範囲外の速度となるため、通常の開閉体１０の開放動作と区別することができる。
また、他の具体例としては、電動駆動源３３の出力軸の回転速度を測定する速度計を備え、該速度計による速度の検出が所定時間以上継続した場合に、開閉体１０を強制的に閉鎖動作させるようにしてもよい。
【００７８】
また、上記実施の形態によれば、制御部５０をプログラムドロジック回路として構成したが、この制御部５０は、他の電子回路やリレー回路等のワイヤードロジック回路として構成することも可能である。この場合、例えば、図５に示す論理回路を構成するものであればよい。
すなわち、図５に示す論理回路は、全閉位置感知部２１のＯＮ信号ｐ１が無く、且つ開閉体１０を開放動作させるための開放信号ｐ２が無い場合であって、エンコーダ装置３４による出力信号のパルス数が所定値を越えた場合に、開閉体１０を閉鎖するための信号ｐ３を出力する回路となっている。なお、図５中、変換器ｘは、エンコーダ装置３４による出力信号のパルス数が所定値を超えた場合に、Ｈ信号を出力する装置とする。
【００７９】
また、他の実施の形態として、上記カウント手段を省き、上記操作スイッチ４０、制御部５０、及び駆動回路７０等を、図６に示す電気回路８０に置換した簡素な構成とすることも可能である。
【００８０】
この電気回路８０によれば、全閉位置感知部２１の接点、入切スイッチ８２の接点、および開放閉鎖切替スイッチ８１の”閉鎖”側の接点がＯＮ（閉）の場合には、電動駆動源３３’が開閉体１０を閉鎖する方向へ回転する。
そして、開閉体１０が全閉位置となることで、全閉位置感知部２１の接点がＯＦＦ（開）となると、開閉体１０の閉鎖動作が停止する。
この状態で、開閉体１０が外力により開放方向へ移動させられると、全閉位置感知部２１がＯＮ（閉）となるため、電動駆動源３３’が開閉体１０を閉鎖する方向へ回転する。したがって、開閉体１０が外力により開放されてしまうのを阻むことができる。
【００８１】
また、開放閉鎖切替スイッチ８１が”開放”側へ切り替えられた際には、電動駆動源３３’へ通電される電源の位相が変わるため、電動駆動源３３’は逆転して、開閉体１０が開放方向へ動作する。そして、開閉体１０が全開状態になると、全開位置感知部２２がＯＦＦ（開）となり、電動駆動源３３’が停止する。
なお、この電気回路８０において、電動駆動源３３’は三相交流モータであるが、その三本の電源ライン中、二本の電源ラインに間にコンデンサー８４を接続することで、単相交流電源８３を三相化した電力が供給されるようにしている。
【図面の簡単な説明】
【００８２】
【図１】本発明に係わる開閉装置の一例を示す断面図。
【図２】同開閉装置の操作スイッチの一例を示す正面図。
【図３】同開閉装置の制御回路を示す電気配線図。
【図４】同開閉装置の制御動作の要部を示すフローチャート。
【図５】制御回路の他例を論理素子記号等で示す論理回路図。
【図６】制御回路の他例をリレー回路で示す電気配線図。
【符号の説明】
【００８３】
１０：開閉体
２１：全閉位置感知部（感知部）
３３，３３’：電動駆動源
３４：エンコーダ装置
４０：操作スイッチ
５０：制御部
Ａ：開閉装置
【図１】
2006028822.tif 000003
【図２】
2006028822.tif 000004
【図３】
2006028822.tif 000005
【図４】
2006028822.tif 000006
【図５】
2006028822.tif 000007
【図６】
2006028822.tif 000008